(57)【要約】【課題】金銭が収納される引き出しのスライド動作時等における騒音の問題を解消する。【解決手段】金銭が収納される引き出し（２）と、引き出し（２）がスライド自在に組み込まれる本体ケース１と、本体ケース１と引き出し（２）との間に介装される弾性体ローラ８（２４）と、を具備する。ロック機構は、フックレバー４を回動動作するソレノイド５と、ソレノイド５の本体から突出するプランジャ５ａに設けられ、フックレバー４に係合するプランジャピン５ｂと、フックレバー４に形成され、プランジャピン５ｂに対し挟んだ状態で係合する二股形状部４ｂと、を具備する。さらに、引き出し（２）に設けられるロックピン（２３）と、本体ケース１内に設けられ、ロックピン（２３）が係合可能なフックレバー４と、ロックピン（２３）及び／又はフックレバー４の係合面に設けられる弾性体１１（１２・１３）と、を具備する。【選択図】図１
2007133555.tif 000002
【特許請求の範囲】
【請求項１】
金銭が収納される引き出しと、
引き出しがスライド自在に組み込まれる本体ケースと、
本体ケースと引き出しとの間に介装される弾性体ローラと、
を具備することを特徴とする金銭収納装置。
【請求項２】
軸線を水平方向としたゴムローラと、
軸線を垂直方向としたゴムローラと、
を具備することを特徴とする請求項１に記載の金銭収納装置。
【請求項３】
金銭が収納される引き出しと、
引き出しがスライド自在に組み込まれる本体ケースと、
本体ケースと引き出しとの間に介装され、軸線を水平方向及び垂直方向に対し傾斜させた弾性体ローラと、
を具備することを特徴とする金銭収納装置。
【請求項４】
前記弾性体ローラは、ローラ本体の外周にゴムリングを装着してなることを特徴とする請求項１から３のいずれか一項に記載の金銭収納装置。
【請求項５】
前記ローラ本体の両側面に、前記ゴムリングの外れを阻止するフランジが設けられていることを特徴とする請求項４に記載の金銭収納装置。
【請求項６】
金銭が収納される引き出しと、
引き出しがスライド自在に組み込まれる本体ケースと、
本体ケースと引き出しとの間に介装され、軸線を水平方向及び垂直方向に対し傾斜させたローラと、
本体ケース及び／又は引き出しに敷設され、前記ローラが接触する弾性体シートと、
を具備することを特徴とする金銭収納装置。
【請求項７】
本体ケース及び／又は引き出しの側面には、前記弾性体シートを敷設する傾斜面が形成されていることを特徴とする請求項６に記載の金銭収納装置。
【請求項８】
引き出しに設けられるロックピンと、
本体ケース内に設けられ、ロックピンが係合可能なフックレバーと、
ロックピン及び／又はフックレバーの係合面に設けられる弾性体と、
を具備することを特徴とする請求項１から７のいずれか一項に記載の金銭収納装置。
【請求項９】
前記フックレバーを回動動作するソレノイドと、
ソレノイドの本体から突出するプランジャに設けられ、前記フックレバーに係合するプランジャピンと、
前記フックレバーに形成され、前記プランジャピンに対し挟んだ状態で係合する二股形状部と、
を具備することを特徴とする請求項８に記載の金銭収納装置。
【請求項１０】
前記プランジャの外周に設けられるフランジと、
このフランジと前記ソレノイド本体との間に介装される弾性体と、
を具備することを特徴とする請求項９に記載の金銭収納装置。
【請求項１１】
本体ケース及び引き出しにそれぞれ設けられ、引き出しを引き出した状態で互いに当接するストッパと、
両ストッパの間に介装される弾性体と、
を具備することを特徴とする請求項１から１０のいずれか一項に記載の金銭収納装置。
【請求項１２】
本体ケース内の奥方部に設けられ、引き出しの奥面部に当接して引き出しを前方に付勢するスプリングと、
引き出しの奥面部とスプリングとの間に介装される弾性体と、
を具備することを特徴とする請求項１から１１のいずれか一項に記載の金銭収納装置。
【請求項１３】
引き出し内に設けられる札押えと、
札押えの先端に設けられる弾性体と、
を具備することを特徴とする請求項１から１２のいずれか一項に記載の金銭収納装置。
【発明の詳細な説明】
【技術分野】
【０００１】
本発明は、金銭が収納される引き出しを備える金銭収納装置に関する。
【背景技術】
【０００２】
キャッシュレジスタのドロアは、その本体ケース内に、金銭が収納される引き出しが摺動自在に組み込まれ、本体ケースの開口部の左右に、引き出しの摺動をガイドするローラが設けられるとともに、引き出しの奥方部の左右にもローラが設けられている。
そして、本体ケース内には引き出しを収納状態に保持するロック機構が備えられている（例えば特許文献１参照）。
【０００３】
ドロアのロック機構として、例えば図１２に示すように、本体ケース１００内の奥方部に、ソレノイド１０１、そのプランジャーピン１０２、フックレバー１０３及びスプリング１０４からなるロック機構がある。フックレバー１０３には、図示しない引き出しに設けられたロックピンが係合して、スプリング１０４の付勢によりロック状態に保持され、ソレノイド１０１の通電作動によりプランジャピン１０２に係合するフックレバー１０３が図示反時計回りに回動して、ロック状態が解除される。
【特許文献１】特開平５−２９８５５４号公報
【発明の開示】
【発明が解決しようとする課題】
【０００４】
しかし、従来のドロアにおいては、引き出しの開閉動作時等における騒音の問題があった。
すなわち、ローラが本体ケース及び引き出しと接触して回転することによる音及びガタに起因する音が発生し、特に本体ケース及び引き出しが金属製の場合に騒音が大きい問題があった。
また、ロック機構部において、フックレバーにロックピンが当たる金属音等の問題もあった。
【０００５】
本発明の課題は、金銭が収納される引き出しのスライド動作時等における騒音の問題を解消することである。
【課題を解決するための手段】
【０００６】
以上の課題を解決するため、請求項１に記載の発明は、例えば図１から図３に示すように、金銭が収納される引き出し２と、引き出し２がスライド自在に組み込まれる本体ケース１と、本体ケース１と引き出し２との間に介装される弾性体ローラ８・２４と、を具備する金銭収納装置を特徴とする。
【０００７】
請求項１に記載の発明によれば、本体ケース１と引き出し２との間に弾性体ローラ８・２４が介装されているので、金銭が収納される引き出し２のスライド動作時におけるローラの転がり音が弾性体により消音される。
【０００８】
請求項２に記載の発明は、請求項１に記載の金銭収納装置であって、例えば図６及び図７に示すように、軸線を水平方向としたゴムローラ３７・４４と、軸線を垂直方向としたゴムローラ３８・４５と、を具備することを特徴とする。
【０００９】
請求項２に記載の発明によれば、引き出しのスライド動作時において、軸線を水平方向としたゴムローラ３７・４４により上下方向に対する消音が行え、軸線を垂直方向としたゴムローラ３８・４５により左右方向に対する消音が行える。
【００１０】
請求項３に記載の発明は、例えば図８及び図９に示すように、金銭が収納される引き出し６１と、引き出し６１がスライド自在に組み込まれる本体ケース５１と、本体ケース５１と引き出し６１との間に介装され、軸線を水平方向及び垂直方向に対し傾斜させた弾性体ローラ５７・６４と、を具備する金銭収納装置を特徴とする。
【００１１】
請求項３に記載の発明によれば、本体ケース５１と引き出し６１との間に弾性体ローラ５７・６４が介装されているので、金銭が収納される引き出し６１のスライド動作時におけるローラ５７・６４の転がり音が弾性体により消音される。
そして、軸線を水平方向及び垂直方向に対し傾斜させた弾性体ローラ５７・６４なので、弾性体ローラ１個で上下方向及び左右方向に対する静音が行える。
【００１２】
請求項４に記載の発明は、請求項１から３のいずれか一項に記載の金銭収納装置であって、例えば図２（ｂ）に示すように、前記弾性体ローラ８・２４は、ローラ本体１７の外周にゴムリング１８を装着してなることを特徴とする。
【００１３】
請求項４に記載の発明によれば、ローラ本体１７の外周に装着したゴムリング１８により消音が行われる。
【００１４】
請求項５に記載の発明は、請求項４に記載の金銭収納装置であって、例えば図５に示すように、前記ローラ本体１７の両側面に、前記ゴムリング１８の外れを阻止するフランジ１９が設けられていることを特徴とする。
【００１５】
請求項５に記載の発明によれば、ローラ本体１７の両側面に設けたフランジ１９により、ローラ本体１７の外周に装着したゴムリング１８の外れが防止される。
【００１６】
請求項６に記載の発明は、例えば図１０及び図１１に示すように、金銭が収納される引き出し８１と、引き出し８１がスライド自在に組み込まれる本体ケース７１と、本体ケース７１と引き出し８１との間に介装され、軸線を水平方向及び垂直方向に対し傾斜させたローラ７７・８５と、本体ケース７１及び／又は引き出し８１に敷設され、前記ローラ７７・８５が接触する弾性体シート７９・８６と、を具備する金銭収納装置を特徴とする。
【００１７】
請求項６に記載の発明によれば、本体ケース７１と引き出し８１との間に介装したローラ７７・８５が接触する弾性体シート７９・８６を、本体ケース７１及び／又は引き出し８１に敷設しているので、金銭が収納される引き出し８１のスライド動作時におけるローラ７７・８５の転がり音が弾性体シート７９・８６により消音される。
そして、軸線を水平方向及び垂直方向に対し傾斜させたローラ７７・８５なので、ローラ１個と弾性体シート７９・８６で上下方向及び左右方向に対する静音が行える。
【００１８】
請求項７に記載の発明は、請求項６に記載の金銭収納装置であって、例えば図１０及び図１１に示すように、本体ケース７１及び／又は引き出し８１の側面には、前記弾性体シート７９・８６を敷設する傾斜面７２・８２が形成されていることを特徴とする。
【００１９】
請求項７に記載の発明によれば、本体ケース７１及び／又は引き出し７１の側面に形成した傾斜面７２・８２に弾性体シート７９・８６を敷設することで、軸線が水平方向及び垂直方向に対し傾斜したローラ７７・８５を弾性体シート７９・８６に接触できる。
【００２０】
請求項８に記載の発明は、請求項１から７のいずれか一項に記載の金銭収納装置であって、例えば図１及び図３に示すように、引き出し２に設けられるロックピン２３と、本体ケース１内に設けられ、ロックピン２３が係合可能なフックレバー４と、ロックピン２３及び／又はフックレバー４の係合面に設けられる弾性体１１（１２・１３）と、を具備することを特徴とする。
【００２１】
請求項８に記載の発明によれば、引き出し２に設けたロックピン２３及び／又は本体ケース１内に設けたフックレバー４の係合面に弾性体１１（１２・１３）が設けられているので、ロックピン２３とフックレバー４が係合時及び離脱時に直接当たらず、弾性体１１（１２・１３）により消音される。
【００２２】
請求項９に記載の発明は、請求項８に記載の金銭収納装置であって、例えば図１に示すように、前記フックレバー４を回動動作するソレノイド５と、ソレノイド５の本体から突出するプランジャ５ａに設けられ、前記フックレバー４に係合するプランジャピン５ｂと、前記フックレバー４に形成され、前記プランジャピン５ｂに対し挟んだ状態で係合する二股形状部４ｂと、を具備することを特徴とする。
【００２３】
請求項９に記載の発明によれば、フックレバー４に形成した二股形状部４ｂが、ソレノイド５のプランジャピン５ｂに対し挟んだ状態で係合するので、ソレノイド５の通電によるプランジャ５ａの引き込み動作時において、プランジャピン５ｂとフックレバー４の係合部には二股形状部４ｂによりガタがないか最小に抑えられていることから打音が発生しない。
【００２４】
請求項１０に記載の発明は、請求項９に記載の金銭収納装置であって、例えば図１に示すように、前記プランジャ５ａの外周に設けられるフランジ５ｃと、このフランジ５ｃと前記ソレノイド５本体との間に介装される弾性体９と、を具備することを特徴とする。
【００２５】
請求項１０に記載の発明によれば、ソレノイド５のプランジャ５ａの外周に設けたフランジ５ｃとソレノイド５本体との間に弾性体９が介装されているので、ソレノイド５の通電によるプランジャ５ａの引き込み動作時において、その引き込みストッパとして機能するフランジ５ｃがソレノイド５本体に直接当たらず、弾性体９により消音される。
【００２６】
請求項１１に記載の発明は、請求項１から１０のいずれか一項に記載の金銭収納装置であって、例えば図１、図３（または図６、図８）に示すように、本体ケース１（３１、５１）及び引き出し２（４１、６１）にそれぞれ設けられ、引き出し２（４１、６１）を引き出した状態で互いに当接するストッパ７・２２（３３・３４、５３・５４）と、両ストッパ７・２２（３３・３４、５３・５４）の間に介装される弾性体１５（３５・３６、５５・５６）と、を具備することを特徴とする。
【００２７】
請求項１１に記載の発明によれば、本体ケース１（３１、５２）及び引き出し２（４１、６１）にそれぞれ設けたストッパ７・２２（３３・３４、５３・５４）の間に弾性体１５（３５・３６、５５・５６）が介装されているので、引き出し２を引き出した状態において、互いのストッパ７・２２（３３・３４、５３・５４）は直接当たらず、弾性体１５（３５・３６、５５・５６）により消音される。
【００２８】
請求項１２に記載の発明は、請求項１から１１のいずれか一項に記載の金銭収納装置であって、例えば図１から図３に示すように、本体ケース１内の奥方部に設けられ、引き出し２の奥面部に当接して引き出しを前方に付勢するスプリング３と、引き出し２の奥面部とスプリング３との間に介装される弾性体２６と、を具備することを特徴とする。
【００２９】
請求項１２に記載の発明によれば、本体ケース１内の奥方部に設けたスプリング３と引出し２の奥面部との間に弾性体２６が介装されているので、引き出し２の押し込み動作時において、引き出し２の奥面部はスプリング３に直接当たらず、弾性体２６により消音される。
【００３０】
請求項１３に記載の発明は、請求項１から１２のいずれか一項に記載の金銭収納装置であって、例えば図３及び図４に示すように、引き出し２内に設けられる札押え２１と、札押え２１の先端に設けられる弾性体２５と、を具備することを特徴とする。
【００３１】
請求項１３に記載の発明によれば、札押え２１の先端に弾性体２５が設けられているので、引き出し１内の底面や引き出し１内に収納した札に札押え２１の先端が直接当たらず、弾性体２５により消音される。
【発明の効果】
【００３２】
本発明によれば、金銭が収納される引き出しのスライド動作時におけるローラの転がり音を弾性体により消音できる。
【発明を実施するための最良の形態】
【００３３】
以下、図を参照して本発明を実施するための最良の形態を詳細に説明する。
（実施形態１）
図１から図４は本発明を適用した金銭収納装置の実施形態１の構成を示すもので、図中、１は本体ケース、２は引き出し、３は圧縮コイルスプリング、４はフックレバー、５はソレノイド、６は引張コイルスプリング、７はストッパ、８は弾性体ローラ、２１は札押え、２２はロックピン、２３はストッパ、２４は弾性体ローラである。
【００３４】
本体ケース１は樹脂製で、この本体ケース１の内部には、その奥方部の中央に、引き出し２の奥面部を押圧付勢する圧縮コイルスプリング３と、引き出し２の収納状態のロック機構を構成するフックレバー４、ソレノイド５及び引張コイルスプリング６が備えられ、開口部側にストッパ７及び弾性体ローラ８が備えられている。
【００３５】
本体ケース１の中央下面にブラケットを介して回動自在に取り付けたフックレバー４は、金属製または樹脂製で、図１（ｂ）に拡大して示すように、前側にフック部４ａを形成して、後側に二股形状部４ｂを形成してなる。このフックレバー４の側方にソレノイド５及び引張コイルスプリング６が配置されている。
フックレバー４には、本体ケース１上にブラケットを介してビス止め固定したソレノイド５の本体から突出するプランジャ５ａの先端に設けたプランジャピン５ｂが、二股形状部４ｂに挟むようにして接続される一方、前側にフック部４ａから離間した側方部において、本体ケース１上のブラケットとの間に引張コイルスプリング６が接続されている。
【００３６】
プランジャ５ａの外周には、ソレノイド５の通電によるプランジャ５ａの引き込み動作時において、その引き込みストッパとして機能するフランジ５ｃが固定されている。このフランジ５ｃとソレノイド５本体との間に弾性体であるクッションゴム９が介装されている。
このクッションゴム９は、プランジャ５ａの引き込み動作時の衝撃を緩衝するように厚みとゴム硬度が設定されていて、例えばプランジャ５ａの外周に嵌め付けたりソレノイド５本体に貼り付けたりして取り付けられている。
【００３７】
フック部４ａには、その根元部に弾性体であるクッションゴム１１が取り付けられている。このクッションゴム１１は、図示例では、フック部４ａの根元部に形成した切欠溝内に嵌め込んで貼り付けられている。
ここで、クッションゴム１１に代えて、フック部４ａには、鎖線で示すように、ロックピン２３との接触面に沿ってクッションゴム１２を貼り付けたり、被膜によるクッションゴム１３を形成したりしても良い。
また、本体ケース１の内部に設けたブラケットには、二股形状部４ｂから離間した側方部との緩衝用のクッションゴム１４が貼り付けられている。
【００３８】
本体ケース１の開口部側の中央に取り付けた突起リブ状のストッパ７には、図２（ａ）に拡大して示すように、弾性体であるクッションゴム１５が取り付けられている。このクッションゴム１５は、図示例では、ストッパ７に被せるように嵌め付けて取り付けられていて、後方に向くギザギザ形状部を有している。
【００３９】
本体ケース１の開口部側の左右に配置された弾性体ローラ８は、図２（ｂ）に拡大して一部破断で示すように、固定ネジ１６を有する樹脂製のローラ本体１７の外周溝に弾性体であるゴムリング１８を嵌め付けてなるものである。
弾性体ローラ８は、そのゴムリング１８が引き出し２の両側面部に形成されたレール２８の下面に接触して回転する。
【００４０】
また、引き出し２は樹脂製で、その内部には、図３に示すように、奥側の札収納部２ａと手前側のコイン収納部２ｂが形成されていて、図示例では横三列に並んだ札収納部２ａの各々に札押え２１がそれぞれ備えられている。引き出し２の奥方部には、底部下面にストッパ２２が備えられており、さらに、奥面部から後方に突出した位置にロックピン２３及び弾性体ローラ２４が備えられている。
【００４１】
札収納部２ａに奥方において基部でヒンジ結合された札押え２１の先端部には、図４に拡大して示すように、弾性体であるクッションゴム２５が被せるようにして取り付けられている。なお、札押え２１は、図示しないスプリングにより押し付け力が付与されている。
【００４２】
引き出し２の後方部の中央下面に取り付けた突起リブ状のストッパ２２は、図３に示したように、前面が平坦面となっていて、引き出し２が引き出された状態において、本体ケース１に設けたストッパ７に被せたクッションゴム１５のギザギザ形状部に接触する。
【００４３】
引き出し２から後方に突出して中央寄りに備えたロックピン２３は、引き出し２の収納状態において、本体ケース１に設けたフックレバー４のフック部４ａの根元部に係合した状態に保持される。
【００４４】
引き出し２から後方に突出して左右両側に配置された弾性体ローラ２４は、前記弾性体ローラ８と同様、固定ネジ１６を有する樹脂製のローラ本体１７の外周溝に弾性体であるゴムリング１８を嵌め付けてなるものである。
弾性体ローラ２４は、そのゴムリング１８が本体ケース１の下面上に接触して回転する。
【００４５】
なお、引き出し２の奥面部中央には、弾性体であるクッションゴム２６が貼り付けられている。このクッションゴム２６は、引き出し２を収納する際において、本体ケース１に設けた圧縮コイルスプリング３との衝撃を緩衝する。
また、引き出し２の両側面部の高さ方向中間部には、本体ケース１内の弾性体ローラ８の上に載せるレール２８が前後方向に沿って形成されている。
【００４６】
以上の構成の金銭収納装置は、キャッシュレジスタのドロアに適用したものである。
ここで、ソレノイド５は接続ケーブル５ｄにより図示しないキャッシュレジスタ本体に接続されている。そして、小計キー、現預キーなどのオープンキーが操作されると、ソレノイド５に電圧が加えられて、引き出し２のロック状態が解放動作され、圧縮コイルスプリング３の付勢力により引き出し２が本体ケース１から飛び出したオープン状態になる。
【００４７】
このようなドロアによれば、札押え２１において、その先端にクッションゴム２５を被せたため、引き出し１内の底面や引き出し１内に収納した札に札押え２１の先端が直接当たらず、クッションゴム２５の弾性変形により緩衝して消音できる。
そして、ローラについて、本体ケース１及び引き出し２に弾性体ローラ８・２４を備えたため、引き出し２のスライド動作時において、ガタに起因するローラ８・２４の転がり音をゴムリング１８によりそれぞれ緩衝して消音できる。
【００４８】
また、ロック機構において、フックレバー４のプランジャピン５ｂとの係合を二股形状部４ｂに形成したため、ソレノイド５の通電によるプランジャ５ａの引き込み動作時において、プランジャピン５ｂとフックレバー４の係合部には二股形状部４ｂによりガタがないか最小に抑えられていることから打音の発生を防止できる。
しかも、フックレバー４のフック部４ａにクッションゴム１１を備えたため、ロックピン２３とフックレバー４が係合時及び離脱時に直接当たらず、クッションゴム１１の弾性変形により緩衝して消音できる。
なお、クッションゴム１１に代えて、クッションゴム１２・１３によっても同様の弾性変形により緩衝して消音できる。
【００４９】
さらに、ソレノイド５において、その引き込みストッパとして機能するフランジ５ｃと本体との間にクッションゴム９を備えたため、ソレノイド５の通電によるプランジャ５ａの引き込み動作時において、フランジ５ｃがソレノイド５本体に直接当たらず、クッションゴム９の弾性変形により緩衝して消音できる。
そして、本体ケース１の内部に設けたブラケットにクッションゴム１４を設けたため、フックレバー４とロックピン２３との係合動作時において、フックレバー４の二股形状部４ｂから離間した側方部がブラケットに直接当たらず、クッションゴム１４の弾性変形により緩衝して消音できる。
【００５０】
また、ストッパ７において、クッションゴム１５を被せたため、引き出し２を引き出した状態において、互いのストッパ７・２２は直接当たらず、クッションゴム１５のギザギザ形状部の弾性変形により緩衝して消音できる。
【００５１】
また、引き出し２の奥面部にクッションゴム２６を備えたため、引き出し２の押し込み動作時において、引き出し２の奥面部は圧縮コイルスプリング３に直接当たらず、クッションゴム２６の弾性変形により緩衝して消音できる。
以上の各種消音機能によって、各部での騒音発生を全体的に消音させた静音ドロアを実現できる。
【００５２】
なお、実施形態１では、フックレバー４にクッションゴムを設けたが、これに代えてロックピン２３にクッションゴムを設けても良く、フックレバー４及びロックピン２３の両方にクッションゴムを設けても良い。
同様に、ストッパ７にクッションゴムを設けたが、ストッパ２２にクッションゴムを設けても良く、両ストッパ７・２２にクッションゴムを設けても良い。
また、本体ケース１の左右に１個の弾性体ローラを備えて、引き出し２にも左右１個ずつの弾性体ローラを備えたが、本体ケース１の左右に上下複数個ずつの弾性体ローラを備えて引き出し２をガイドさせたり、あるいは、引き出し２の左右に上下複数個ずつの弾性体ローラを備えて本体ケース１内でガイドさせるようにさせたりすることも可能である。
【００５３】
図５は弾性体ローラ８（２４）の変形例を示すもので、ローラ本体１７の両側面にフランジ１９を固定した構造となっている。
このフランジ１９の存在により、ローラ本体１７の外周溝に装着したゴムリング１８が外れようとするのを防止できる。
【００５４】
（実施形態２）
図６及び図７は本発明を適用した金銭収納装置の実施形態２の構成を示すもので、図中、３１は本体ケース、３２はレール、３３・３４はストッパ、３５・３６は弾性体（クッションゴム）、３７・３８は弾性体ローラ（ゴムローラ）、４１は引き出し、４２はレール、４３はロックピン、４４・４５は弾性体ローラ（ゴムローラ）である。
【００５５】
本体ケース３１は金属製（板金製）で、その左右の両側面部が互いに内方に向けた断面コ字状のレール３２となっていて、奥方部の中央に、前述した実施形態１と同様の圧縮コイルスプリング３及びロック機構（フックレバー４、ソレノイド５及び引張コイルスプリング６）が備えられているが、図示省略している。
この本体ケース３１の内部には、図６に示すように、開口部側の左右に前部ストッパ３３が備えられるとともに、奥方部側の左右に後部ストッパ３４が備えられている。本体ケース３１に形成した突起リブ状の前部ストッパ３３及び後部ストッパ３４には、弾性体であるクッションゴム３５・３６が取り付けられている。クッションゴム３５は、前部ストッパ３３に被せるように嵌め付けて取り付けられていて、図示例では、後方に向くギザギザ形状部を有している。クッションゴム３６は、後部ストッパ３４に被せるように嵌め付けて取り付けられていて、図示例では、前方に向くギザギザ形状部を有している。
【００５６】
そして、本体ケース３１の開口部側の左右には、軸線を水平方向とした弾性体ローラであるゴムローラ３７と、軸線を垂直方向とした弾性体ローラであるゴムローラ３８とが備えられている。軸線を垂直方向としたゴムローラ３８は、軸線を水平方向としたゴムローラ３７の後方でレール３２の外側に図示しないステイを介して位置されている。
ここで、ゴムローラ３７・３８は、前述した実施形態１の弾性体ローラ８・２４と同様、固定ネジ１６を有する樹脂製のローラ本体１７の外周溝に弾性体であるゴムリング１８を嵌め付けてなるものである。そして、導電性ゴムによるゴムローラ８・２４を用い、すなわち、導電性ゴムによるゴムリング１８を用いる。
軸線を水平方向としたゴムローラ３７は、そのゴムリング１８が引き出し４１の両側面部に形成されたレール４２の下面に接触して回転する。軸線を垂直方向としたゴムローラ３８は、そのゴムリング１８が引き出し４１のレール４２より上側の両側面部に対し外側から接触して回転する。
【００５７】
また、引き出し４１は金属製（板金製）で、その内部には、図示しないが、前述した実施形態１と同様の札収納部及びコイン収納部が形成されて、先端部に弾性体（クッションゴム）を被せた札押えを備える樹脂製のトレイが組み付けられる。
この引き出し４１の底部下面には、図示しないが、開口部側の左右と後方部側の左右とにストッパが備えられている。左右の後部ストッパは、引き出し４１が引き出された状態において、本体ケース３１に設けた前部ストッパ３３に被せたクッションゴム３５のギザギザ形状部にそれぞれ接触する。左右の前部ストッパは、引き出し４１の収納状態において、本体ケース３１に設けた後部ストッパ３４に被せたクッションゴム３６のギザギザ形状部にそれぞれ接触する。
【００５８】
そして、引き出し４１には、図７に示すように、左右の両側面部のレール４２と、奥面部から後方に突出した位置に、中央寄りのロックピン４３と、軸線を水平方向とした弾性体ローラである左右のゴムローラ４４と、軸線を垂直方向とした弾性体ローラである左右のゴムローラ４５とが備えられている。
レール４２は、引き出し４１の両側面部の高さ方向中間部に前後方向に沿って形成されていて、本体ケース３１内のゴムローラ３７の上に載せられる。ロックピン４３は、前述した実施形態１と同様、引き出し４１の収納状態において、本体ケース３１に設けたフックレバー４のフック部４ａの根元部に係合した状態に保持される。
【００５９】
ゴムローラ４４・４５は、レール４２の後方部下方に配置されていて、ゴムローラ３７・３８と同様、固定ネジ１６を有する樹脂製のローラ本体１７の外周溝に弾性体であるゴムリング１８を嵌め付けてなるものである。そして、導電性ゴムによるゴムローラ４４・４５を用い、すなわち、導電性ゴムによるゴムリング１８を用いる。
軸線を水平方向としたゴムローラ４４は、そのゴムリング１８が本体ケース３１の側面部内方に向けた断面コ字状のレール３２内でその下面上に接触して回転する。
軸線を垂直方向に向けたゴムローラ４５は、軸線を水平方向としたゴムローラ４４に対し前側に配置されていて、本体ケース３１のレール３２内の側面部に接触して回転する。
【００６０】
このようなドロアによれば、特にローラについて、軸線を水平方向としたゴムローラ３７・４４と軸線を垂直方向としたゴムローラ３８・４５を備えたため、板金製の本体ケース３１に対する同じく板金製の引き出し４１のスライド動作時において、ローラの転がり音をゴムリング１８によりそれぞれ緩衝して消音できる。
すなわち、本体ケース３１及び引き出し４１に備えた軸線を水平方向としたゴムローラ３７・４４により、上下方向に対するガタに起因するローラ３７・４４の転がり音をゴムリング１８でそれぞれ緩衝して消音できることに加えて、本体ケース３１及び引き出し４１に備えた軸線を垂直方向としたゴムローラ３８・４５により、左右方向に対するガタに起因するローラの転がり音をゴムリング１８でそれぞれ緩衝して消音できる。
また、導電性ゴムによるゴムローラ３７・３８・４４・４５を用いることで、板金製の本体ケース３１及び引き出し４１において、導電性のゴムリング１８を介してアースが行える。
その他、前述した実施形態１と同様の作用効果が得られる。
【００６１】
実施形態２では、本体ケース３１の左右に軸線を水平方向とした１個のゴムローラと軸線を垂直方向とした１個のゴムローラを設け、引き出し４１にも左右に軸線を水平方向とした１個のゴムローラと軸線を垂直方向とした１個のゴムローラを設けたが、これに限られるものではない。
例えば本体ケース３１の左右に軸線を水平方向としたゴムローラと軸線を垂直方向としたゴムローラを複数個ずつ備えて引き出し４１をガイドさせるようにしても良い。あるいは、引き出し４１の左右に軸線を水平方向としたゴムローラと軸線を垂直方向としたゴムローラを複数個ずつ備えて本体ケース３１内でガイドさせるようにさせたりすることも可能である。
【００６２】
（実施形態３）
図８及び図９は本発明を適用した金銭収納装置の実施形態３の構成を示すもので、図中、５１は本体ケース、５２は傾斜レール、５３・５４はストッパ、５５・５６は弾性体（クッションゴム）、５７は弾性体ローラ（ゴムローラ）、５８はステイ、６１は引き出し、６２は傾斜レール、６３はロックピン、６４は弾性体ローラ（ゴムローラ）である。
【００６３】
この実施形態３において、本体ケース５１は金属製（板金製）で、実施形態１と同様の圧縮コイルスプリング３及びロック機構（フックレバー４、ソレノイド５及び引張コイルスプリング６）、ストッパ５３・５４及び弾性体（クッションゴム）５５・５６が備えられ、引き出し６１も金属製（板金製）で、実施形態１と同様の札収納部及びコイン収納部が形成されて、先端部に弾性体（クッションゴム）を被せた札押えを備える樹脂製のトレイが組み付けられ、ロックピン６３及び前後左右のストッパが備えられる点については、前述した実施形態２と同様である。
【００６４】
そして、本体ケース５１の左右の両側面部内には、図８（ｂ）に示すように、上面を互いに中央部上方に向けた傾斜レール５２が前後方向に沿ってそれぞれ形成されている。
さらに、本体ケース５１の開口部側の左右には、図８（ａ）及び（ｂ）に示すように、軸線を水平方向及び垂直方向に対し傾斜させた弾性体ローラであるゴムローラ５７がステイ５８を介して位置されている。
【００６５】
すなわち、左右のゴムローラ５７は、図８（ｂ）に示したとおり、その内面を互いに中央部下方に向けて配置されている。ゴムローラ５７は、前述した実施形態１の弾性体ローラ８・２４及び実施形態３のゴムローラ３７・３８・４４・４５と同様、固定ネジ１６を有する樹脂製のローラ本体１７の外周溝に弾性体であるゴムリング１８を嵌め付けてなるものである。そして、導電性ゴムによるゴムローラ５７を用い、つまり、導電性ゴムによるゴムリング１８を用いる。
このように、軸線を水平方向及び垂直方向に対し傾斜させたゴムローラ５７は、そのゴムリング１８が引き出し６１の両側面部に形成された傾斜レール６２の下面に接触して回転する。
【００６６】
また、引き出し６１の左右の両側面部には、図９（ｂ）に示すように、下面を外側下方に向けた傾斜レール６２が前後方向に沿ってそれぞれ形成されている。
すなわち、傾斜レール６２は、引き出し６１の側面部の高さ方向中間部に前後方向に沿って形成されていて、本体ケース５１内の軸線を水平方向及び垂直方向に対し傾斜させたゴムローラ５７の上に載せられる。
【００６７】
そして、引き出し６１の奥面部から後方に突出した位置の左右には、図９（ａ）及び（ｂ）に示すように、軸線を水平方向及び垂直方向に対し傾斜させた弾性体ローラであるゴムローラ６４が備えられている。すなわち、左右のゴムローラ６４は、図９（ｂ）に示したとおり、その外面を外側上方に向けて配置されている。ゴムローラ６４は、傾斜レール６２の後方部下方に配置されていて、ゴムローラ５７と同様、固定ネジ１６を有する樹脂製のローラ本体１７の外周溝に弾性体であるゴムリング１８を嵌め付けてなるものである。
このように、軸線を水平方向及び垂直方向に対し傾斜させたゴムローラ６４は、本体ケース５１内の傾斜レール５２上に載せられて回転する。
【００６８】
このようなドロアによれば、特にローラについて、軸線を水平方向及び垂直方向に対し傾斜させたゴムローラ５７・６４を備えたため、板金製の本体ケース５１に対する同じく板金製の引き出し６１のスライド動作時において、ローラの転がり音をゴムリング１８によりそれぞれ緩衝して消音できる。
すなわち、本体ケース５１及び引き出し６１に備えた軸線を水平方向及び垂直方向に対し傾斜させたゴムローラ５７・６４により、上下方向及び左右方向に対するガタに起因するローラの転がり音をゴムリング１８でそれぞれ緩衝して消音できる。
このように、軸線を水平方向及び垂直方向に対し傾斜させたゴムローラ５７・６４であり、ローラ１個で上下方向及び左右方向に対する静音が行える。
また、導電性ゴムによるゴムローラ５７・６４を用いることで、板金製の本体ケース５１及び引き出し６１において、導電性のゴムリング１８を介してアースが行える。
その他、前述した実施形態１と同様の作用効果が得られる。
【００６９】
なお、実施形態３では、本体ケース５１の左右に軸線を水平方向及び垂直方向に対し傾斜させたゴムローラを１個ずつ備えて、引き出し６１にも軸線を水平方向及び垂直方向に対し傾斜させたゴムローラを左右１個ずつ備えたが、これに限られるものではない。
例えば本体ケース５１の左右に軸線を水平方向及び垂直方向に対し傾斜させたゴムローラを上下複数個ずつ備えて引き出し６１をガイドさせるようにしても良い。あるいは、引き出し６１の左右に軸線を水平方向及び垂直方向に対し傾斜させたゴムローラを上下複数個ずつ備えて本体ケース５１内でガイドさせるようにさせたりすることも可能である。
また、ゴムローラの傾斜方向を図示例とは逆方向に設定しても良い。
【００７０】
（実施形態４）
図１０及び図１１は本発明を適用した金銭収納装置の実施形態４の構成を示すもので、図中、７１は本体ケース、７２は傾斜レール、７３・７４はストッパ、７７はローラ（樹脂ローラ）、７８はステイ、７９は弾性体シート（ゴムシート）、８１は引き出し、８２は傾斜レール、８５はローラ（樹脂ローラ）、８６は弾性体シート（ゴムシート）である。
【００７１】
この実施形態４において、本体ケース７１は金属製（板金製）で、実施形態１と同様の圧縮コイルスプリング３及びロック機構（フックレバー４、ソレノイド５及び引張コイルスプリング６）、ストッパ７３・７４及び弾性体（クッションゴム）が備えられ、引き出し８１も金属製（板金製）で、実施形態１と同様の札収納部及びコイン収納部が形成されて、先端部に弾性体（クッションゴム）を被せた札押えを備える樹脂製のトレイが組み付けられ、ロックピン及び前後左右のストッパが備えられる点については、前述した実施形態２と同様である。
【００７２】
そして、本体ケース７１の左右の両側面部内には、図１０に示すように、上面を互いに中央部上方に向けた傾斜レール７２が前後方向に沿ってそれぞれ形成されている。
また、本体ケース７１の開口部側の左右には、軸線を水平方向及び垂直方向に対し傾斜させた樹脂ローラ７７がステイ７８を介して位置されている。すなわち、左右の樹脂ローラ７７は、図１０に示したとおり、その内面を互いに中央部下方に向けて配置されている。
このように、軸線を水平方向及び垂直方向に対し傾斜させた樹脂ローラ７７は、引き出し８１の両側面部に形成された傾斜レール８２の下面に敷設した弾性体シート（ゴムシート）８６に接触して回転する。
さらに、傾斜レール７２の上面には、弾性体シートであるゴムシート７９が貼り付けて敷設されている。
【００７３】
また、引き出し８１の左右の両側面部には、図１１に示すように、下面を外側下方に向けた傾斜レール８２が前後方向に沿ってそれぞれ形成されている。すなわち、傾斜レール８２は、引き出し８１の側面部の高さ方向中間部に前後方向に沿って形成されている。
そして、引き出し８１の奥面部から後方に突出した位置の左右には、軸線を水平方向及び垂直方向に対し傾斜させた樹脂ローラ８５が備えられている。すなわち、左右の樹脂ローラ８５は、図１１に示したとおり、その外面を外側上方に向けて配置されている。樹脂ローラ８５は、傾斜レール８２の後方部下方に配置されている。
さらに、傾斜レール８２の下面には、弾性体シートであるゴムシート８６が貼り付けて敷設されている。
【００７４】
このように、軸線を水平方向及び垂直方向に対し傾斜させた樹脂ローラ８５は、本体ケース７１内の傾斜レール７２のゴムシート７９上に載せられて回転する。
また、本体ケース７１内の軸線を水平方向及び垂直方向に対し傾斜させた樹脂ローラ７７の上に、引き出し８１の傾斜レール８２がゴムシート８６を介装して載せられる。
【００７５】
このようなドロアによれば、軸線を水平方向及び垂直方向に対し傾斜させた樹脂ローラ７７・８５を備えるとともに、傾斜レール７２・８２に敷設されたゴムシート７９・８６を備えたため、板金製の本体ケース７１に対する同じく板金製の引き出し８１のスライド動作時において、樹脂ローラ７７・８５の転がり音をゴムシート７９・８６によりそれぞれ緩衝して消音できる。
すなわち、本体ケース７１及び引き出し８１に備えた軸線を水平方向及び垂直方向に対し傾斜させた樹脂ローラ７７・８５による、上下方向及び左右方向に対するガタに起因するローラの転がり音をゴムシート７９・８６でそれぞれ緩衝して消音できる。
このように、軸線を水平方向及び垂直方向に対し傾斜させ樹脂ローラ７７・８５であり、ローラ１個とゴムシート７９・８６で上下方向及び左右方向に対する静音が行える。
その他、前述した実施形態１と同様の作用効果が得られる。
【００７６】
なお、実施形態４では、本体ケース７１の左右に軸線を水平方向及び垂直方向に対し傾斜させた樹脂ローラを１個ずつ備えて、引き出し８１にも軸線を水平方向及び垂直方向に対し傾斜させた樹脂ローラを左右１個ずつ備えたが、これに限られるものではない。
例えば本体ケース５１の左右に軸線を水平方向及び垂直方向に対し傾斜させた樹脂ローラを上下複数個ずつ備えて引き出し８１をガイドさせるようにしても良い。この場合、引き出し８１の左右に上下の傾斜面を形成してゴムシートをそれぞれ敷設する。
あるいは、引き出し８１の左右に軸線を水平方向及び垂直方向に対し傾斜させた樹脂ローラを上下複数個ずつ備えて本体ケース７１内でガイドさせるようにさせたりすることも可能である。この場合、本体ケースの左右に上下の傾斜面を形成してゴムシートをそれぞれ敷設する。
また、樹脂ローラの傾斜方向を図示例とは逆方向に設定しても良い。
【００７７】
（他の実施形態）
以上において、実施形態３・４の構成は、キャッシュレジスタのドロアに限らず一般的な引き出し装置にも適用可能である。
すなわち、図示しないが、一般的な引き出し装置において、本体ケースと引き出しとの間に、軸線を水平方向及び垂直方向に対し傾斜させた弾性体ローラ（ゴムローラ）を介装することで、実施形態３と同様の静音効果が得られる。
また、図示しないが、一般的な引き出し装置において、本体ケースと引き出しとの間に、軸線を水平方向及び垂直方向に対し傾斜させたローラを介装し、そのローラが接触する弾性体シート（ゴムローラ）を、本体ケース及び／又は引き出しに形成された傾斜面に敷設することで、実施形態４と同様の静音効果が得られる。
【００７８】
または、キャッシュレジスタのドロアにおいて、図示しないが、本体ケースと引き出しとの間にローラを介装し、そのローラが接触する弾性体シートを、本体ケース及び／又は引き出しに敷設することでも、実施形態１や実施形態３と同様の静音効果が得られる。
同様に、軸線を水平方向としたローラが接触する弾性体シートを、本体ケース及び／又は引き出しの下面に敷設し、軸線を垂直方向としたローラが接触する弾性体シートを、本体ケース及び／又は引き出しの側面に敷設することでも、実施形態２や実施形態４と同様の静音効果が得られる。
【００７９】
なお、以上の実施形態においては、弾性体をゴムとしたが、本発明はこれに限定されるものではなく、弾性体は緩衝機能・消音機能を有するものであればどのような材料のものであっても良い。
また、ローラや各種弾性体の配置箇所等も任意であり、その他、具体的な細部構造等についても適宜に変更可能であることは勿論である。
【図面の簡単な説明】
【００８０】
【図１】本発明を適用した金銭収納装置の実施形態１の構成を示すもので、本体ケース内の構成を示した平面図（ａ）とそのロック機構部の拡大図（ｂ）である。
【図２】図１（ａ）の矢印Ａ部の拡大図（ａ）と弾性体ローラを一部破断した図（ｂ）である。
【図３】図１（ａ）の本体ケースに対応する引き出しの構成を示した平面図（ａ）と底面図（ｂ）と縦断側面図（ｃ）である。
【図４】図３（ａ）の札押えの拡大図である。
【図５】弾性体ローラの変形例を示す一部破断した図である。
【図６】本発明を適用した金銭収納装置の実施形態２の構成を示すもので、本体ケース内の構成を示した平面図である。
【図７】図６の本体ケースに対応する引き出しの構成を示した平面図である。
【図８】本発明を適用した金銭収納装置の実施形態３の構成を示すもので、本体ケース内の構成を示した平面図（ａ）とその正面図（ｂ）である。
【図９】図８の本体ケースに対応する引き出しの構成を示した平面図（ａ）とその正面図（ｂ）である。
【図１０】本発明を適用した金銭収納装置の実施形態４の構成を示すもので、本体ケース内の構成を示した正面図である。
【図１１】図１０の本体ケースに対応する引き出しの構成を示した正面図である。
【図１２】従来の金銭収納装置のロック機構部を示した平面図である。
【符号の説明】
【００８１】
１  本体ケース
２  引き出し
３  圧縮コイルスプリング
４  フックレバー
５  ソレノイド
６  引張コイルスプリング
７  ストッパ
８  弾性体ローラ
９・１１・１２・１３・１４・１５  弾性体
１７  ローラ本体
１８  ゴムリング
２１  札押え
２２  ストッパ
２３  ロックピン
２４  弾性体ローラ
２５・２６  弾性体
２８  レール
３１  本体ケース
３２  レール
３３・３４  ストッパ
３５・３６  弾性体
３７・３８  弾性体ローラ（ゴムローラ）
４１  引き出し
４２  レール
４３  ロックピン
４４・４５  弾性体ローラ（ゴムローラ）
５１  本体ケース
５２  傾斜レール
５３・５４  ストッパ
５５・５６  弾性体（クッションゴム）
５７  弾性体ローラ（ゴムローラ）
５８  ステイ
６１  引き出し
６２  傾斜レール
６３  ロックピン
６４  弾性体ローラ（ゴムローラ）
７１  本体ケース
７２  傾斜レール
７３・７４  ストッパ
７７  ローラ（樹脂ローラ）
７８  ステイ
７９  弾性体シート（ゴムシート）
８１  引き出し
８２  傾斜レール
８５  ローラ（樹脂ローラ）
８６  弾性体シート（ゴムシート）
【図１】
2007133555.tif 000003
【図２】
2007133555.tif 000004
【図３】
2007133555.tif 000005
【図４】
2007133555.tif 000006
【図５】
2007133555.tif 000007
【図６】
2007133555.tif 000008
【図７】
2007133555.tif 000009
【図８】
2007133555.tif 000010
【図９】
2007133555.tif 000011
【図１０】
2007133555.tif 000012
【図１１】
2007133555.tif 000013
【図１２】
2007133555.tif 000014